(57)【要約】  本開示の実施形態は、概して、ワイヤレス通信ネットワークにおけるリソース設定に関する。ワイヤレス通信ネットワークにおける端末デバイスが、ソースセルから補助リソースに関する情報を受信する。次いで、端末デバイスは、ソースセルからターゲットセルへのハンドオーバにおけるランダムアクセスプロシージャに関連するタイマーに基づいて、ハンドオーバの遷移期間における時間間隔を決定し、その時間間隔において、補助リソースが端末デバイスにとって利用可能である。このようにして、端末デバイスは、ハンドオーバ中に補助リソースを使用し得る。【選択図】図３
2019512986.tif 000002
【特許請求の範囲】
【請求項１】
ワイヤレス通信ネットワークにおける端末デバイスにおいて少なくとも部分的に実装される方法であって、
ソースセルから補助リソースに関する情報を受信することと、
前記ソースセルからターゲットセルへのハンドオーバにおけるランダムアクセスプロシージャに関連するタイマーに基づいて、前記ハンドオーバの遷移期間における時間間隔を決定することと、
を含み、
前記補助リソースが、前記決定された時間間隔において前記端末デバイスにとって利用可能である、方法。
【請求項２】
前記時間間隔を決定することは、
前記タイマーが開始される時点を前記時間間隔の始まりとして決定することと、
前記タイマーの状態に基づいて前記時間間隔の終わりを決定することと
を含む、請求項１に記載の方法。
【請求項３】
前記時間間隔の前記終わりを決定することは、
前記タイマーが終了する前に停止されたことに応答して、前記タイマーが停止される時点を前記時間間隔の前記終わりとして決定すること
を含む、請求項２に記載の方法。
【請求項４】
前記時間間隔の前記終わりを決定することは、
前記タイマーが終了する前に停止されたことに応答して、無線リソース制御（ＲＲＣ）接続再設定が受信される時点を前記時間間隔の前記終わりとして決定すること
を含む、請求項２に記載の方法。
【請求項５】
前記時間間隔の前記終わりを決定することは、
前記タイマーが終了したことに応答して、前記タイマーが終了する時点を前記時間間隔の前記終わりとして決定すること
を含む、請求項２に記載の方法。
【請求項６】
前記時間間隔の前記終わりを決定することは、
前記タイマーが終了したことに応答して、セル選択プロシージャに関連するさらなるタイマーが停止されるかまたは終了する時点を前記時間間隔の前記終わりとして決定することを含み、
前記セル選択プロシージャが前記ランダムアクセスプロシージャの後に実施される、請求項２に記載の方法。
【請求項７】
グローバルナビゲーション衛星システム（ＧＮＳＳ）タイミングと、
前記ワイヤレス通信ネットワークの共通タイミングと
のうちの少なくとも１つに従って、前記タイマーを調整すること
をさらに含む、請求項２から６のいずれか一項に記載の方法。
【請求項８】
前記時間間隔を決定することは、
前記タイマーが終了する前に停止されたことに応答して、前記タイマーが停止される時点を前記時間間隔の始まりとして決定することと、
無線リソース制御（ＲＲＣ）接続再設定が受信される時点を前記時間間隔の終わりとして決定することと
を含む、請求項１に記載の方法。
【請求項９】
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
をさらに含む、請求項８に記載の方法。
【請求項１０】
前記タイマーがＴ３０４である、請求項１から９のいずれか一項に記載の方法。
【請求項１１】
ワイヤレス通信ネットワークにおけるネットワークデバイスにおいて少なくとも部分的に実装される方法であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信することを含み、
前記補助リソースが、前記決定された時間間隔において前記端末デバイスにとって利用可能である、方法。
【請求項１２】
ワイヤレス通信ネットワークにおける端末デバイスにおいて少なくとも部分的に実装される装置であって、
ソースセルから補助リソースに関する情報を受信するように設定された受信機と、
前記ソースセルからターゲットセルへのハンドオーバにおけるランダムアクセスプロシージャに関連するタイマーに基づいて、前記ハンドオーバの遷移期間における時間間隔を決定するように設定されたコントローラを備え、
前記補助リソースが、前記決定された時間間隔において前記端末デバイスにとって利用可能である、装置。
【請求項１３】
前記コントローラは、
前記タイマーが開始される時点を前記時間間隔の始まりとして決定することと、
前記タイマーの状態に基づいて前記時間間隔の終わりを決定することと
を行うようにさらに設定された、請求項１２に記載の装置。
【請求項１４】
前記コントローラは、
前記タイマーが終了する前に停止されたことに応答して、前記タイマーが停止される時点を前記時間間隔の前記終わりとして決定すること
を行うようにさらに設定された、請求項１３に記載の装置。
【請求項１５】
前記コントローラは、
前記タイマーが終了する前に停止されたことに応答して、無線リソース制御（ＲＲＣ）接続再設定が受信される時点を前記時間間隔の前記終わりとして決定すること
を行うようにさらに設定された、請求項１３に記載の装置。
【請求項１６】
前記コントローラは、
前記タイマーが終了したことに応答して、前記タイマーが終了する時点を前記時間間隔の前記終わりとして決定すること
を行うようにさらに設定された、請求項１３に記載の装置。
【請求項１７】
前記コントローラは、
前記タイマーが終了したことに応答して、セル選択プロシージャに関連するさらなるタイマーが停止されるかまたは終了する時点を前記時間間隔の前記終わりとして決定することを行うようにさらに設定されており、
前記セル選択プロシージャが前記ランダムアクセスプロシージャの後に実施される、請求項１３に記載の装置。
【請求項１８】
前記コントローラは、
グローバルナビゲーション衛星システム（ＧＮＳＳ）タイミングと、
前記ワイヤレス通信ネットワークの共通タイミングと
のうちの少なくとも１つに従って、前記タイマーを調整すること
を行うようにさらに設定された、請求項１３から１７のいずれか一項に記載の装置。
【請求項１９】
前記コントローラは、
前記タイマーが終了する前に停止されたことに応答して、前記タイマーが停止される時点を前記時間間隔の始まりとして決定することと、
無線リソース制御（ＲＲＣ）接続再設定が受信される時点を前記時間間隔の終わりとして決定することと
を行うようにさらに設定された、請求項１２に記載の装置。
【請求項２０】
前記コントローラは、
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
を行うようにさらに設定された、請求項１９に記載の装置。
【請求項２１】
前記タイマーがＴ３０４である、請求項１２から２０のいずれか一項に記載の装置。
【請求項２２】
ワイヤレス通信ネットワークにおけるネットワークデバイスにおいて少なくとも部分的に実装される装置であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信するように設定された送信機を備え、
前記補助リソースが、前記決定された時間間隔において前記端末デバイスにとって利用可能である、装置。
【請求項２３】
プロセッサとメモリとを備える、デバイスであって、
前記メモリが、前記プロセッサによって実行可能な命令を含むプログラムを含んでおり、前記プロセッサが、前記デバイスに、請求項１から１０のいずれか一項に記載の方法を実施させるように設定された、デバイス。
【請求項２４】
コンピュータ可読記憶媒体上に有形に記憶されたコンピュータプログラム製品であって、デバイスのプロセッサ上で実行されるとき、前記デバイスに、請求項１から１０のいずれか一項に記載の方法を実施させる命令を含む、コンピュータプログラム製品。
【請求項２５】
プロセッサとメモリとを備える、デバイスであって、
前記メモリが、前記プロセッサによって実行可能な命令を含むプログラムを含んでおり、前記プロセッサが、前記デバイスに、請求項１１に記載の方法を実施させるように設定された、デバイス。
【請求項２６】
コンピュータ可読記憶媒体上に有形に記憶されたコンピュータプログラム製品であって、デバイスのプロセッサ上で実行されるとき、前記デバイスに、請求項１１に記載の方法を実施させる命令を含む、コンピュータプログラム製品。
【発明の詳細な説明】
【技術分野】
【０００１】
本開示の実施形態は、一般に通信の分野に関し、より詳細には、ハンドオーバ（ＨＯ）におけるリソーススケジューリングのための方法およびデバイスに関する。
【背景技術】
【０００２】
ワイヤレス通信システムは、良好なサービス品質を提供し、高データレートをサポートし、ワイヤレスデータトラフィックに対する絶え間なく増加する需要に対応するように、進化している。Ｌｏｎｇ  Ｔｅｒｍ  Ｅｖｏｌｕｔｉｏｎ（ＬＴＥ）システムなどのワイヤレス通信システムは、商業的適用例と公共安全適用例の両方をターゲットにするデバイスツーデバイス（Ｄ２Ｄ）特徴のサポートとともに拡張された。ＬＴＥによって可能にされるいくつかの適用例は、デバイス発見であり、ここで、デバイスは、デバイス識別情報と適用例識別情報とを搬送する発見メッセージをブロードキャストおよび検出することによって、別のデバイスおよび関連する適用例の近接度を検知することが可能である。別の適用例は、デバイス間で直接終端する物理チャネルに基づく直接通信からなる。３ＧＰＰでは、これらの適用例のすべてが、近傍サービス（ＰｒｏＳｅ：Ｐｒｏｘｉｍｉｔｙ  Ｓｅｒｖｉｃｅ）の傘下で規定されている。
【０００３】
ＰｒｏＳｅフレームワークの潜在的拡張のうちの１つは、車両、歩行者、およびインフラストラクチャの間の直接通信の任意の組合せを含む、Ｖ２Ｘ通信のサポートからなる。Ｖ２Ｘ通信は、Ｖ２Ｖ通信、Ｖ２Ｐ通信、Ｖ２Ｉ通信などを含み得る。特に、Ｖ２Ｖは車両−車両間（ｖｅｈｉｃｌｅ−ｔｏ−ｖｅｈｉｃｌｅ）とも呼ばれ、車両間のＬＴＥベース通信をカバーし、Ｖ２Ｐは車両−歩行者間（ｖｅｈｉｃｌｅ−ｔｏ−ｐｅｄｅｓｔｒｉａｎ）とも呼ばれ、車両と、個人によって携帯されるデバイス（たとえば歩行者、サイクリスト、ドライバまたは乗客によって携帯されるハンドヘルド端末）との間のＬＴＥベース通信をカバーし、Ｖ２Ｉは車両−インフラストラクチャ間（ｖｅｈｉｃｌｅ−ｔｏ−ｉｎｆｒａｓｔｒｕｃｔｕｒｅ）とも呼ばれ、車両と路側ユニット／ネットワークとの間のＬＴＥベース通信をカバーする。Ｖ２Ｘ通信は、利用可能なときに、ＮＷインフラストラクチャを利用し得るが、少なくとも基本的なＶ２Ｘ接続性が、カバレッジの欠如の場合でも可能であるべきである。ＬＴＥベースＶ２Ｘインターフェースを提供することが、ＬＴＥの規模の経済のために経済的に有利であり得、Ｖ２Ｉ通信、Ｖ２Ｐ通信およびＶ２Ｖ通信との通信間でより緊密な統合を可能にし得る。
【０００４】
Ｖ２Ｘの観点から、端末デバイスのハンドオーバプロシージャは、端末デバイスが端末デバイスのソースセルからデタッチし、端末デバイスのターゲットセルに接続されていない、デタッチ段階と、端末デバイスがターゲットセルに接続されているが、Ｖ２Ｘ送信のためにターゲットセル中のリソースを使用することができない、異常段階とを含み得る。デタッチ段階中に、端末デバイスは、Ｖ２Ｘ送信のためにソースセルからもターゲットセルからもリソースを取得することができない。同時に、端末デバイスはネットワークカバレッジ下にあり、端末デバイスは、カバレッジ外ＵＥが使用することができるような、事前設定されたリソースを使用することができない。その結果、この段階中にサービス中断があることなり、中断時間が、たとえば、最高２秒であり得、これは、いくつかのＶ２Ｘサービスにとって許容できないことになる。
【発明の概要】
【０００５】
概して、本開示の実施形態は、ワイヤレス通信ネットワークにおけるリソース設定のためのソリューションを提供する。
【０００６】
第１の態様では、ワイヤレス通信ネットワークにおける端末デバイスによって少なくとも部分的に実装される方法が提供される。端末デバイスは、ソースセルから補助リソースに関する情報を受信する。次いで、端末デバイスは、ソースセルからターゲットセルへのハンドオーバにおけるランダムアクセスプロシージャに関連するタイマーに基づいて、ハンドオーバの遷移期間における時間間隔を決定し、その時間間隔において、補助リソースが端末デバイスにとって利用可能である。対応するコンピュータプログラムも提供される。
【０００７】
一実施形態では、時間間隔を決定することは、タイマーが開始される時点を時間間隔の始まりとして決定することと、タイマーの状態に基づいて時間間隔の終わりを決定することとを含み得る。
【０００８】
一実施形態では、時間間隔の終わりを決定することは、タイマーが終了する前に停止されたことに応答して、タイマーが停止される時点を時間間隔の終わりとして決定することを含み得る。
【０００９】
一実施形態では、時間間隔の終わりを決定することは、タイマーが終了する前に停止されたことに応答して、無線リソース制御（ＲＲＣ）接続再設定が受信される時点を時間間隔の終わりとして決定することを含み得る。
【００１０】
一実施形態では、時間間隔の終わりを決定することは、タイマーが終了したことに応答して、タイマーが終了する時点を時間間隔の終わりとして決定することを含み得る。
【００１１】
一実施形態では、時間間隔の終わりを決定することは、タイマーが終了したことに応答して、セル選択プロシージャに関連するさらなるタイマーが停止されるかまたは終了する時点を時間間隔の終わりとして決定することであって、セル選択プロシージャがランダムアクセスプロシージャの後に実施される、決定することを含み得る。
【００１２】
一実施形態では、本方法は、グローバルナビゲーション衛星システム（ＧＮＳＳ）タイミングと、ワイヤレス通信ネットワークの共通タイミングとのうちの少なくとも１つに従って、タイマーを調整することをさらに含み得る。
【００１３】
一実施形態では、時間間隔を決定することは、タイマーが終了する前に停止されたことに応答して、タイマーが停止される時点を時間間隔の始まりとして決定することと、ＲＲＣ接続再設定が受信される時点を時間間隔の終わりとして決定することとを含み得る。
【００１４】
一実施形態では、本方法は、ＧＮＳＳタイミングと、ワイヤレス通信ネットワークの共通タイミングと、ターゲットセルのタイミングとのうちの少なくとも１つに従って、タイマーを調整することをさらに含み得る。
【００１５】
第２の態様では、ワイヤレス通信ネットワークにおけるネットワークデバイスによって少なくとも部分的に実装される方法が提供される。ネットワークデバイスは、端末デバイスが、端末デバイスのハンドオーバにおけるランダムアクセスプロシージャに関連するタイマーに基づいて、ハンドオーバの遷移期間における時間間隔を決定することを可能にするために、補助リソースに関する情報を端末デバイスに送信する。補助リソースは、決定された時間間隔において端末デバイスにとって利用可能である。対応するコンピュータプログラムも提供される。
【００１６】
第３の態様では、ワイヤレス通信ネットワークにおける端末デバイスにおいて少なくとも部分的に実装される装置が提供される。本装置は受信機とコントローラとを含む。受信機は、ソースセルから補助リソースに関する情報を受信するように設定される。コントローラは、ソースセルからターゲットセルへのハンドオーバにおけるランダムアクセスプロシージャに関連するタイマーに基づいて、ハンドオーバの遷移期間における時間間隔を決定するように設定され、補助リソースは、決定された時間間隔において端末デバイスにとって利用可能である。
【００１７】
第４の態様では、ワイヤレス通信ネットワークにおけるネットワークデバイスにおいて少なくとも部分的に実装される装置が提供される。ネットワークデバイスは送信機を含む。送信機は、端末デバイスが、端末デバイスのハンドオーバにおけるランダムアクセスプロシージャに関連するタイマーに基づいて、ハンドオーバの遷移期間における時間間隔を決定することを可能にするために、補助リソースに関する情報を端末デバイスに送信するように設定され、補助リソースは、決定された時間間隔において端末デバイスにとって利用可能である。
【００１８】
第５の態様では、デバイスが提供される。本デバイスは、プロセッサとメモリとを含み、メモリは、プロセッサによって実行可能な命令を含んでおり、それにより、プロセッサは、本デバイスに、ソースセルから補助リソースに関する情報を受信することと、ソースセルからターゲットセルへのハンドオーバにおけるランダムアクセスプロシージャに関連するタイマーに基づいて、ハンドオーバの遷移期間における時間間隔を決定することとを行わせるように適応され、補助リソースは、決定された時間間隔において端末デバイスにとって利用可能である。
【００１９】
第６の態様では、デバイスが提供される。本デバイスは、プロセッサとメモリとを含み、メモリは、プロセッサによって実行可能な命令を含んでおり、それにより、プロセッサは、端末デバイスに、端末デバイスが、端末デバイスのハンドオーバにおけるランダムアクセスプロシージャに関連するタイマーに基づいて、ハンドオーバの遷移期間における時間間隔を決定することを可能にするために、補助リソースに関する情報を端末デバイスに送信することを行わせるように適応され、補助リソースは、決定された時間間隔において端末デバイスにとって利用可能である。
【００２０】
本開示の様々な実施形態の上記および他の態様、特徴、および利益が、例として、同様の参照番号または文字が同様の要素または等価要素を指定するために使用される、添付の図面を参照しながら、以下の発明を実施するための形態から、より十分に明らかになろう。図面は、本開示の実施形態のより良い理解を容易にするために例示されており、必ずしも一定の縮尺で描かれているとは限らない。
【図面の簡単な説明】
【００２１】
【図１】本開示の実施形態が実装され得るワイヤレス通信ネットワーク１００の環境を示す図である。
【図２】ハンドオーバプロシージャのフロー２００の図である。
【図３】本開示の一実施形態による、端末デバイスによって実装されるリソース設定のための方法３００のフローチャートである。
【図４】本開示の一実施形態による、ネットワークデバイスによって実装されるリソース設定のための方法４００のフローチャートである。
【図５】本開示の一実施形態による、成功したハンドオーバプロシージャの図５００である。
【図６】本開示の一実施形態による、ハンドオーバ失敗プロシージャの図６００である。
【図７】本開示の一実施形態による、端末デバイス７００のブロック図である。
【図８】本開示の一実施形態による、ネットワークデバイス８００のブロック図である。
【図９】本開示の実施形態を実装する際に使用するのに好適であるデバイスの簡略ブロック図９００である。
【発明を実施するための形態】
【００２２】
次に、いくつかの例示的な実施形態を参照しながら、本開示について論じる。これらの実施形態は、本開示の範囲に対する限定を示唆するのではなく、当業者が、本開示をより良く理解し、したがって実装することを可能にする目的で論じられるにすぎないことを理解されたい。
【００２３】
本明細書で使用される「ワイヤレス通信ネットワーク」という用語は、ＬＴＥアドバンスト（ＬＴＥ−Ａ）、ＬＴＥ、広帯域符号分割多元接続（ＷＣＤＭＡ）、高速パケットアクセス（ＨＳＰＡ）など、任意の好適な通信規格に従うネットワークを指す。さらに、ワイヤレス通信ネットワークにおける端末デバイスとネットワークデバイスとの間の通信は、限定はしないが、第１世代（１Ｇ）通信プロトコル、第２世代（２Ｇ）通信プロトコル、２．５Ｇ通信プロトコル、２．７５Ｇ通信プロトコル、第３世代（３Ｇ）通信プロトコル、第４世代（４Ｇ）通信プロトコル、４．５Ｇ通信プロトコル、将来の第５世代（５Ｇ）通信プロトコルを含む、任意の好適な世代の通信プロトコル、および／あるいは現在知られているかまたは将来において開発されることになる任意の他のプロトコルに従って実施され得る。
【００２４】
「ネットワークデバイス」という用語は、ワイヤレス通信ネットワークにおける、基地局（ＢＳ）、アクセスポイント（ＡＰ）、モバイル管理エンティティ、サーバ、および任意の他の好適なデバイスを指す。ネットワークデバイスは、たとえば、ノードＢ（ノードＢまたはＮＢ）、エボルブドノードＢ（ｅノードＢまたはｅＮＢ）、リモートラジオユニット（ＲＲＵ）、無線ヘッダ（ＲＨ）、リモート無線ヘッド（ＲＲＨ）、リレー、フェムト、ピコなどの低電力ノードなどであり得る。
【００２５】
「端末デバイス」という用語は、加入者局（ＳＳ）、ポータブル加入者局、移動局（ＭＳ）、またはアクセス端末（ＡＴ）であり得る、ユーザ機器（ＵＥ）を指す。端末デバイスは、限定はしないが、モバイルフォン、セルラーフォン、スマートフォン、タブレット、ウェアラブルデバイス、携帯情報端末（ＰＤＡ）などを含み得る。
【００２６】
本明細書で使用される「第１の」および「第２の」という用語は、異なる要素を指す。単数形「ａ」および「ａｎ」は、文脈が別段に明確に示すのでなければ、複数形をも含むものとする。本明細書で使用される「備える、含む（ｃｏｍｐｒｉｓｅｓ）」、「備える、含む（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」という用語は、述べられた特徴、要素、および／または構成要素などの存在を指定するが、１つまたは複数の他の特徴、要素、構成要素および／またはそれらの組合せの存在または追加を排除しない。「に基づいて」という用語は、「に少なくとも部分的に基づいて」として読み取られるべきである。「一実施形態（ｏｎｅ  ｅｍｂｏｄｉｍｅｎｔ）」および「一実施形態（ａｎ  ｅｍｂｏｄｉｍｅｎｔ）」という用語は、「少なくとも１つの実施形態」として読み取られるべきである。「別の実施形態」という用語は、「少なくとも１つの他の実施形態」として読み取られるべきである。明示的および暗黙的な他の定義が、以下で含まれ得る。
【００２７】
次に、図面を参照しながら、本開示のいくつかの例示的な実施形態について以下で説明する。最初に、本開示の実施形態が実装され得るワイヤレス通信ネットワーク１００の環境を例示する、図１への参照が行われる。図１に示されているように、ワイヤレス通信ネットワーク１００は、Ｄ２Ｄ通信が端末デバイス間で実施される、ＬＴＥネットワークとして例示されている。特に、（以下で「ＢＳ１１０」とも呼ばれる）ネットワークデバイス１１０が、ＬＴＥネットワークにおける３つの端末デバイス１２０、１３０および１５０をサーブするサービングセル１６０を管理し、端末デバイス１２０、１３０および１４０はＤ２Ｄ通信またはＶ２Ｘ通信を実施する。
【００２８】
図１の設定は、本開示の範囲に関する限定を示唆することなしに、例示の目的で説明されるにすぎないことを理解されたい。ワイヤレス通信ネットワーク１００が任意の好適な数の端末デバイスとＢＳとを含み得、他の好適な設定を有し得ることを、当業者は諒解されよう。
【００２９】
従来、いくつかの段階が、（以下で「ソースセル」とも呼ばれる）サービングセルから（以下で「ターゲットセル」とも呼ばれる）新しいセルへの端末デバイス１２０のハンドオーバに関与し得る。図２は、ハンドオーバプロシージャのフロー２００の図を示す。図２では、ＵＥが端末デバイス１２０を示し、（以下で「ソースｅＮＢ」とも呼ばれる）Ｓ−ｅＮＢが、ネットワークデバイス１１０またはソースＢＳを示し、（以下で「ターゲットｅＮＢ」とも呼ばれる）Ｔ−ｅＮＢが、ハンドオーバのターゲットセルを管理するターゲットＢＳを示す。４つの段階が以下のように図２の例において例示されている。
【００３０】
１．通常段階：この段階中に、ＵＥは、ソースｅＮＢに接続され、モード１リソースまたはモード２リソースのいずれかを使用してＶ２Ｘデータを送信することができる。段階１は、２０１において、Ｓ−ｅＮＢからＴ−ｅＮＢにハンドオーバ要求を送ることから開始する。次いで、Ｔ−ｅＮＢは、２０２において、ハンドオーバ要求肯定応答（ＡＣＫ）をＳ−ｅＮＢに送る。段階１は、ＵＥが、２０３において、Ｓ−ｅＮＢから、モビリティ情報を含むＲＲＣ接続再設定を受信するときに終了する。
【００３１】
２．デタッチ段階：この段階は、ＵＥが２０４においてＳ−ｅＮＢからデタッチすることから開始し、ＵＥがＴ−ｅＮＢに接続されること（ステップ２０７）までである。特に、Ｓ−ｅＮＢからデタッチした後に、ＵＥは、２０５において、同期のためのメッセージをＴ−ｅＮＢに送る。同期メッセージを受信すると、Ｔ−ｅＮＢは、２０６において、アップリンク（ＵＬ）リソースとタイミングアドバンス（ＴＡ）とをＵＥに送る。次いで、ＵＥは、２０７において、ＲＲＣ接続再設定完了をＴｅＮＢに送る。この段階中に、ＵＥは、ｅＮＢに接続されない。
【００３２】
３．異常段階：この段階中に、ＵＥは、ターゲットＢＳに接続されるが、Ｖ２Ｘ送信のためにターゲットＢＳからのリソースを使用することができない。
【００３３】
ＵＥがモード２リソースを使用しようとする場合、異常段階は、ステップ２０７から、Ｖ２Ｘシステム情報ブロック（ＳＩＢ）がＴ−ｅＮＢから受信されるステップ２０８までとなる。この段階中に、ＵＥは、ターゲットＢＳに接続されるが、Ｖ２Ｘモード２リソースプールがＵＥによって取得されないので、Ｖ２Ｘ送信を実施するためにモード２リソースを使用することができない。
【００３４】
ＵＥがモード１リソースを使用しようとする場合、異常段階は、ステップ２０７からステップ２１０までとなる。（ＰｒｏＳｅでは、サイドリンクＵＥ情報が、モード１リソース割り当てのためにｅＮＢから必要な情報を取得するために、ＵＥのために規定された。このメッセージはＶ２Ｘによって再利用されると仮定される。）この段階では、２０８において、Ｔ−ｅＮＢからＶ２Ｘ  ＳＩＢを受信した後に、ＵＥは、２０９において、サイドリンクＵＥ情報をＴーｅＮＢに送り、次いで、２１０において、ＴーｅＮＢからＲＲＣ接続再設定を受信する。この段階中に、ＵＥはターゲットｅＮＢに接続されるが、モード１リソース割り当ての何らかの必要な情報が、依然としてＵＥ側から欠落しているので、Ｖ２Ｘ送信を実施するためにモード１リソースを使用することができない。
【００３５】
４．通常段階：ＵＥは、ターゲットｅＮＢに接続され、Ｖ２Ｘデータを送信するために、ターゲットｅＮＢからのリソースを使用することができる。ＵＥがモード２リソースを使用しようとする場合、この段階はステップ２０８から開始する。ＵＥがモード１リソースを使用しようとする場合、この段階はステップ２１０から開始する。
【００３６】
しかしながら、「２デタッチ段階」中に、ＵＥは、ソースＢＳからもターゲットＢＳからもＶ２Ｘ送信のためのリソースを取得することができない。同時に、ＵＥはネットワークカバレッジ下にあり、ＵＥは、カバレッジ外ＵＥが使用することになるもののような、事前設定されたリソースを使用することができない。その結果、この段階中にサービス中断があることなり、中断時間が最高２秒であり得、これは、いくつかのＶ２Ｘサービスにとって許容できないことになる。
【００３７】
最近、この問題に対処するための研究が行われている。（「ソリューション＃１」とも呼ばれる）１つのソリューションは、ソースｅＮＢのリソースを使用することであり、すなわち、ＵＥは、ソースｅＮＢからデタッチされた後に、ソースｅＮＢのリソースを使用し続けることになる。しかしながら、相当な数の欠点がある。
【００３８】
第１に、ターゲットｅＮＢに対する干渉がある。この段階中に、たとえばＵＥがステップ５、６および７を実施するとき、ＵＥは、ターゲットｅＮＢのカバレッジ中にあり得る。Ｖ２Ｘリソースプールは、ソースｅＮＢとターゲットｅＮＢとの間で整合されないことがある。ソースｅＮＢにおけるＶ２Ｘリソースは、ターゲットｅＮＢにおけるＬＴＥトラフィックをスケジュールするために使用され得る。その結果、ＵＥがソースｅＮＢのリソースを使用することは、ターゲットｅＮＢに対する干渉につながり得る。この段階の持続時間が最高２秒であり得ることを考慮すると、影響が重大であり得る。
【００３９】
第２に、リソースが浪費され得る。この段階中に、ＵＥはソースｅＮＢに接続されず、すなわち、ソースｅＮＢは、この段階がいつ停止することになるかに関するアイデアを有しない。ｅＮＢは、すべての場合にそれを動作させるために、ＵＥのために最小２秒、リソースを予約しなければならない。この段階が短く、たとえば数十ｍｓであるとき、いくつかのリソースが無駄となる。
【００４０】
（「ソリューション＃２」とも呼ばれる）別のソリューションは、ターゲットｅＮＢのリソースを使用することである。すなわち、ターゲットｅＮＢは、ハンドオーバコマンドメッセージを介してＵＥにいくつかのリソースを提供することができ、ＵＥは、「２デタッチ段階」中にこれらのリソースを使用することができる。ソリューション＃１と同様の欠点がある。
【００４１】
上記および他の潜在的問題を解決するために、本開示の実施形態は、ハンドオーバ中のリソース設定に関するソリューションを提供する。図３は、本開示の一実施形態による、端末デバイスによって実装されるリソース設定のための方法３００のフローチャートを示す。方法３００では、従来の手法における上記および他の潜在的欠如が克服され得る。方法３００は、端末デバイス１２０または他の好適なデバイスなど、端末デバイスによって実装され得ることが、当業者によって諒解されるであろう。例示の目的で、ワイヤレス通信システム１００における端末デバイス１２０を参照しながら、方法３００について以下で説明する。
【００４２】
方法３００はブロック３１０に入り、補助リソースに関する情報がソースセルから受信される。補助リソースは、ハンドオーバの遷移期間の少なくとも一部分中に端末デバイスにとって利用可能なリソースを指す。遷移期間は、ハンドオーバを実施するための時間期間、たとえば、図２の例に示されているように、２０３においてソースセルからＲＲＣ接続再設定メッセージを受信する時点から、２１０においてターゲットセルからＲＲＣ接続再設定メッセージを受信する時点までの時間期間を示す。本開示のいくつかの実施形態では、補助リソースは、ハンドオーバの前に端末デバイスのサービングセルによって事前設定または設定される。補助リソースは、ハンドオーバ中に特定のタイマーおよび／または特定のイベントに従って効果を生じる。補助リソースのタイミングは、グローバルナビゲーション衛星システム（ＧＮＳＳ）タイミング基準または（システムにおいてユニバーサルタイミングである場合）共通タイミング基準または（システムにおいて異なるタイミングである場合）ターゲットセルタイミングに従い得る。補助リソースは、干渉回避のために、サービングセル／ターゲットセルにおけるＬＴＥトラフィックによって使用され得ない。
【００４３】
いくつかの実施形態では、補助リソースは、１つまたは複数の時間／周波数リソースブロック、たとえば、物理リソースブロック（ＰＲＢ）を含むリソースプールとして実装され得る。補助リソースは、たとえば、ＨＯコマンド（専用ＲＲＣシグナリング）、ＳＩＢ（ブロードキャストＲＲＣシグナリング）などにおいて、ソースセルによって通知され得る。
【００４４】
ブロック３２０において、ソースセルからターゲットセルへのハンドオーバにおけるランダムアクセスプロシージャに関連するタイマーに基づいて、ハンドオーバの遷移期間における時間間隔が決定される。タイマーは、停止状態、終了状態など、異なる状態を有し得る。タイマーが停止される、すなわち、タイマーが停止状態に入る場合、ランダムアクセスプロシージャが成功したと決定され得る。タイマーが終了する、すなわち、タイマーが終了状態に入る場合、ランダムアクセスプロシージャが失敗したと決定され得る。いくつかの実施形態では、タイマーは、Ｔ３０４またはすでに規定された他の好適なタイマーであり得る。
【００４５】
時間間隔は、補助リソースが端末デバイスにとって利用可能である遷移期間の一部を指す。本開示の実施形態によれば、時間間隔を決定する様々なやり方があり得る。
【００４６】
いくつかの実施形態では、タイマーが開始される時点が、時間間隔の始まりとして決定され得、時間間隔の終わりが、タイマーの状態に基づいて決定され得る。図５は、本開示の一実施形態による、成功したハンドオーバプロシージャの図５００を示す。図５の例では、時間間隔の始まりは、タイマーＴ３０４が開始される時点５０１であり得、遷移期間は５１０によって示される。いくつかの実施形態では、時点５０１は、ＲＲＣ接続再設定メッセージがソースセルから受信される時点に対応し得る。図６は、本開示の一実施形態による、ハンドオーバ失敗プロシージャの図６００を示す。図６の例では、時間間隔の始まりは、タイマーＴ３０４が開始される時点６０１であり得、遷移期間は、時点６０１から開始し、時点６０３までである６１０によって示される。時点６０３は、新しいセルが選択される時点を示す。代替実施形態では、遷移期間６１０は、時点６０１から開始し、時点６０２で終わる。時点６０２は、タイマーＴ３０４が終了する時点を示す。
【００４７】
時間間隔の終わりは、複数のやり方でタイマーの状態に基づいて決定され得る。一実施形態では、タイマーが終了する前に停止されたことに応答して、タイマーが停止される時点が、時間間隔の終わりとして決定され得る。図５の例では、時間間隔の終わりは、ランダムアクセスプロシージャが成功裡に完了したときにタイマーＴ３０４が停止される時点５０２であり得る。
【００４８】
代替的に、一実施形態では、タイマーが終了する前に停止されたことに応答して、ＲＲＣ接続再設定が受信される時点が、時間間隔の終わりとして決定され得る。図５の例では、時間間隔の終わりは、ＲＲＣ接続再設定メッセージが受信される時点５０３であり得る。
【００４９】
代替的に、一実施形態では、タイマーが終了したことに応答して、タイマーが終了する時点が、時間間隔の終わりとして決定され得る。図６の例では、時間間隔の終わりは、タイマーＴ３０４が終了する時点６０２であり得る。
【００５０】
代替的に、一実施形態では、タイマーが終了したことに応答して、セル選択プロシージャに関連するさらなるタイマーが停止されるかまたは終了する時点が、時間間隔の終わりとして決定され得る。さらなるタイマーはＴ３１１であり得る。セル選択プロシージャは、ランダムアクセスプロシージャの後に実施され得る。図６の例では、時間間隔の終わりは、好適なＥ−ＵＴＲＡセルが選択されたときにタイマーＴ３１１が停止される時点６０３であり得る。
【００５１】
代替として、時間間隔の始まりは、タイマーの開始時間と同じでないことがある。いくつかの実施形態では、タイマーが終了する前に停止されたことに応答して、タイマーが停止される時点が、時間間隔の始まりとして決定され得る。この場合、ＲＲＣ接続再設定が受信される時点が、時間間隔の終わりとして決定され得る。図５の例では、時間間隔の始まりは、タイマーＴ３０４が停止される時点５０２であり得、時間間隔の終わりは、ＲＲＣ接続再設定メッセージが受信される時点５０３であり得る。
【００５２】
本開示の実施形態によれば、随意に、タイマーは、ＧＮＳＳタイミング、ワイヤレス通信ネットワークの共通タイミングなどに従って調整され得る。共通タイミングは、たとえば、ワイヤレス通信ネットワークにおけるユニバーサルタイミング、またはターゲットセルとソースセルの両方によって共通に使用されるタイミングであり得る。タイマーが終了する前に停止される、すなわち、ランダムアクセスプロシージャが成功した実施形態では、タイマーは、ＧＮＳＳタイミング、ワイヤレス通信ネットワークの共通タイミング、（ワイヤレス通信ネットワークにおいて異なるタイミングがある場合）ターゲットセルのタイミングなどに従って調整され得る。
【００５３】
上記で論じられたように、本開示の実施形態によれば、補助リソースは、ハンドオーバの遷移期間における時間間隔中に端末デバイスにとって利用可能であり得る。このようにして、Ｖ２Ｘ通信は、ハンドオーバの影響を受けないことがある。さらに、ハンドオーバ中に補助リソースを使用することは、ネイバリングセルまたは近傍にあるセル中のＬＴＥトラフィックに対する干渉を回避することができる。さらに、補助リソースを通常のＶ２Ｘリソースと重複させることは、リソース利用を改善することができる。
【００５４】
次に、本開示の一実施形態による、ネットワークデバイスによって実装されるリソース設定のための方法４００のフローチャートを示す図４への参照が行われる。方法４００は、ＢＳ１１０または他の好適なデバイスなど、ネットワークデバイスによって実装され得ることが、当業者によって諒解されるであろう。例示の目的で、ワイヤレス通信システム１００におけるＢＳ１１０を参照しながら、方法４００について以下で説明する。
【００５５】
方法４００はブロック４１０に入り、端末デバイスが、端末デバイスのハンドオーバにおけるランダムアクセスプロシージャに関連するタイマーに基づいて、ハンドオーバの遷移期間における時間間隔を決定することを可能にするために、補助リソースに関する情報が端末デバイスに送信される。補助リソースは、決定された時間間隔において端末デバイスにとって利用可能である。
【００５６】
本開示の実施形態によれば、補助リソースは、１つまたは複数の時間／周波数リソースブロック、たとえば、ＰＲＢを含むリソースプールとして実装され得る。補助リソースは、ハンドオーバの前にサービングセルによって事前設定または設定され得る。いくつかの実施形態では、補助リソースは、たとえば、ＨＯコマンド（専用ＲＲＣシグナリング）、ＳＩＢ（ブロードキャストＲＲＣシグナリング）などにおいて、ソースセルによって端末デバイスに通知され得る。
【００５７】
補助リソースの情報の受信時に、端末デバイス、たとえば、図１の端末デバイス１２０は、補助リソースが使用のために利用可能である時間間隔を決定するために、方法３００を実施し得る。
【００５８】
次に、いくつかの実施形態のさらなる詳細が、図５および図６に関して説明される。
【００５９】
実施形態１：補助リソースは、遷移期間中にタイマーに基づいて使用されることになる。
【００６０】
図５に示されているように、従来、ＨＯが成功した場合、ＨＯコマンドがソースセルから受信されてから、サービングセルのリソース設定が解放され、ターゲットセルのリソース設定が、ターゲットセルからのＲＲＣ接続再設定の後に取得され、すなわち、遷移期間中に明確なリソース定義がない。図６の例では、ＨＯが失敗した場合、ＲＲＣ接続再確立が成功したか否かにかかわらず、少なくともＴ３０４時間期間中に、同様に、利用可能なリソースがない。
【００６１】
本開示の実施形態によれば、実施形態１では、リソース使用は以下のステップを含み得る。
【００６２】
ステップ１：補助リソース（時間／周波数領域定義、限られた１つの時間／周波数リソースまたはリソースセット／プール）が、ＨＯコマンド（専用ＲＲＣシグナリング）またはＳＩＢ（ブロードキャストＲＲＣシグナリング）のいずれかにおいてソースセルによって通知される。
【００６３】
ステップ２：リソースは、ユニバーサルタイミング（ＧＮＳＳまたは全システムによって使用される共通タイミング）を参照して、Ｔ３０４が開始されてからＵＥによって使用されることになる。リソースの使用が停止される、以下の複数の場合があり得る。
【００６４】
−  ＭＡＣレイヤがランダムアクセスプロシージャを成功裡に行ったときに停止される、
【００６５】
−  ＲＲＣ接続再設定がターゲットセルから受信されるときに停止される、
【００６６】
−  Ｔ３０４が終了するときに停止される、または
【００６７】
−  Ｔ３１１が停止／終了するときに停止される（この場合、補助リソースは、Ｔ３０４が終了するとき、使用され続けられ得る）。
【００６８】
ステップ３：その後、新しいリソースが利用可能であり得る。いくつかの実施形態では、新しいリソースは、ターゲットセルによって設定されたリソースとして実装され得る（ＲＲＣ接続再設定、またはターゲットセル中のＳＩＢなどにおいて搬送される）。いくつかの代替実施形態では、新しいリソースは、図６において説明されるようにＨＯが失敗した場合、カバレッジ外の場合のために設定され得る。図６の例では、新しいリソース（たとえば、例外的なリソースプールまたは事前設定されたリソース）は、時点６０３の後に利用可能であり得、新しいタイマー、たとえば、Ｔ３０１に関連し得る。遷移期間が時点６０１から開始し、時点６０２において終わる、別の例では、例外的なリソースプールは、時点６０２の後に利用可能であり得る。
【００６９】
実施形態２：補助リソースは、遷移期間中にタイマーに関連するイベントに基づいて使用されることになる。
【００７０】
図６に示されているように、ＨＯコマンドの後に開始したタイマーＴ３０４は、不確定な期間として見られ得る。たとえば、タイマーＴ３０４は、ＨＯ失敗（ＲＲＣ接続再確立が成功したか否かにかかわらず）またはＨＯ成功のいずれかで終わり得る。したがって、リソースがターゲットセルの観点から設定され得、異なるタイミングが異なるｅＮＢによって使用されることを考慮する場合、このリソースは、ターゲットセルとの成功した接続の後に使用される。
【００７１】
したがって、この実施形態では、リソース使用は以下のステップを含み得る。
【００７２】
ステップ１：補助リソース（時間／周波数領域定義、限られた１つのｔ／ｆリソースまたはリソースセット／プール）が、ＨＯコマンド（専用ＲＲＣシグナリング）またはＳＩＢ（ブロードキャストＲＲＣシグナリング）のいずれかにおいてソースセルによって通知される。
【００７３】
ステップ２：補助リソースは、ターゲットセルのタイミングを参照して、ランダムアクセスがＭＡＣレイヤにおいて成功してからＵＥによって使用されることになる。
【００７４】
ステップ３：補助リソースは、ＲＲＣ接続再設定が受信されるときに停止され得、ここで、新しいリソース設定が含まれる。
【００７５】
図７は、本開示の一実施形態による、端末デバイス７００のブロック図を示す。端末デバイス７００が、図１に示されている端末デバイス１２０、または他の好適なデバイスによって実装され得ることが諒解されるであろう。
【００７６】
示されているように、端末デバイス７００は、受信機７１０とコントローラ７２０とを含む。受信機７１０は、ソースセルから補助リソースに関する情報を受信するように設定される。コントローラ７２０は、ソースセルからターゲットセルへのハンドオーバにおけるランダムアクセスプロシージャに関連するタイマーに基づいて、ハンドオーバの遷移期間における時間間隔を決定するように設定され、補助リソースは、決定された時間間隔において端末デバイスにとって利用可能である。
【００７７】
一実施形態では、コントローラ７２０は、タイマーが開始される時点を時間間隔の始まりとして決定することと、タイマーの状態に基づいて時間間隔の終わりを決定することとを行うようにさらに設定される。
【００７８】
一実施形態では、コントローラ７２０は、タイマーが終了する前に停止されたことに応答して、タイマーが停止される時点を時間間隔の終わりとして決定することを行うようにさらに設定される。
【００７９】
一実施形態では、コントローラ７２０は、タイマーが終了する前に停止されたことに応答して、ＲＲＣ接続再設定が受信される時点を時間間隔の終わりとして決定することを行うようにさらに設定される。
【００８０】
一実施形態では、コントローラ７２０は、タイマーが終了したことに応答して、タイマーが終了する時点を時間間隔の終わりとして決定することを行うようにさらに設定される。
【００８１】
一実施形態では、コントローラ７２０は、タイマーが終了したことに応答して、セル選択プロシージャに関連するさらなるタイマーが停止されるかまたは終了する時点を時間間隔の終わりとして決定することであって、セル選択プロシージャがランダムアクセスプロシージャの後に実施される、決定することを行うようにさらに設定される。
【００８２】
一実施形態では、コントローラ７２０は、ＧＮＳＳタイミングと、ワイヤレス通信ネットワークの共通タイミングとのうちの少なくとも１つに従って、タイマーを調整することを行うようにさらに設定される。
【００８３】
一実施形態では、コントローラ７２０は、タイマーが終了する前に停止されたことに応答して、タイマーが停止される時点を時間間隔の始まりとして決定することと、ＲＲＣ接続再設定が受信される時点を時間間隔の終わりとして決定することとを行うようにさらに設定される。
【００８４】
一実施形態では、コントローラ７２０は、ＧＮＳＳタイミングと、ワイヤレス通信ネットワークの共通タイミングと、ターゲットセルのタイミングとのうちの少なくとも１つに従って、タイマーを調整することを行うようにさらに設定される。
【００８５】
一実施形態では、タイマーはＴ３０４であり得る。
【００８６】
図８は、本開示の一実施形態による、ネットワークデバイス８００のブロック図を示す。ネットワークデバイス８００が、図１に示されているＢＳ１２０、または他の好適なデバイスによって実装され得ることが諒解されるであろう。
【００８７】
示されているように、ネットワークデバイス８００は、端末デバイスが、端末デバイスのハンドオーバにおけるランダムアクセスプロシージャに関連するタイマーに基づいて、ハンドオーバの遷移期間における時間間隔を決定することを可能にするために、補助リソースに関する情報を端末デバイスに送信するように設定された送信機８１０を含み、補助リソースは、決定された時間間隔において端末デバイスにとって利用可能である。
【００８８】
端末デバイス７００中に含まれる構成要素が方法３００のブロックに対応し、ネットワークデバイス８００中に含まれる構成要素が方法４００のブロックに対応することを諒解されたい。したがって、図３を参照しながら上記で説明されたすべての動作および特徴は、同様に、端末デバイス７００中に含まれる構成要素に適用可能であり、同様の効果を有し、図４を参照しながら上記で説明されたすべての動作および特徴は、同様に、ネットワークデバイス８００中に含まれる構成要素に適用可能であり、同様の効果を有する。簡略化の目的で、詳細が省略される。
【００８９】
端末デバイス７００およびネットワークデバイス８００中に含まれる構成要素は、ソフトウェア、ハードウェア、ファームウェア、またはそれらの任意の組合せを含む、様々な様式で実装され得る。一実施形態では、１つまたは複数のユニットが、ソフトウェアおよび／またはファームウェア、たとえば、記憶媒体に記憶された機械実行可能命令を使用して実装され得る。機械実行可能命令に加えて、または機械実行可能命令の代わりに、端末デバイス７００およびネットワークデバイス８００中に含まれる構成要素の一部または全部は、少なくとも部分的に、１つまたは複数のハードウェア論理構成要素によって実装され得る。たとえば、および限定はしないが、例示的なタイプの、使用され得るハードウェア論理構成要素は、フィールドプログラマブルゲートアレイ（ＦＰＧＡ）、特定用途向け集積回路（ＡＳＩＣ）、特定用途向け標準製品（ＡＳＳＰ）、システムオンチップシステム（ＳＯＣ）、複合プログラマブル論理デバイス（ＣＰＬＤ）などを含む。
【００９０】
本開示の実施形態によれば、ワイヤレス通信ネットワークにおいて実装される装置が提供される。本装置が端末デバイスにおいて実装され得ることが諒解されるであろう。本装置は、ソースセルから補助リソースに関する情報を受信するための手段と、ソースセルからターゲットセルへのハンドオーバにおけるランダムアクセスプロシージャに関連するタイマーに基づいて、ハンドオーバの遷移期間における時間間隔を決定するための手段であって、補助リソースが、決定された時間間隔において端末デバイスにとって利用可能である、決定するための手段とを含む。
【００９１】
一実施形態では、時間間隔を決定するための手段は、タイマーが開始される時点を時間間隔の始まりとして決定するための手段と、タイマーの状態に基づいて時間間隔の終わりを決定するための手段とを含む。
【００９２】
一実施形態では、時間間隔の終わりを決定するための手段は、タイマーが終了する前に停止されたことに応答して、タイマーが停止される時点を時間間隔の終わりとして決定するための手段を含む。
【００９３】
一実施形態では、時間間隔の終わりを決定するための手段は、タイマーが終了する前に停止されたことに応答して、ＲＲＣ接続再設定が受信される時点を時間間隔の終わりとして決定するための手段を含む。
【００９４】
一実施形態では、時間間隔の終わりを決定するための手段は、タイマーが終了したことに応答して、タイマーが終了する時点を時間間隔の終わりとして決定するための手段を含む。
【００９５】
一実施形態では、時間間隔の終わりを決定するための手段は、タイマーが終了したことに応答して、セル選択プロシージャに関連するさらなるタイマーが停止されるかまたは終了する時点を時間間隔の終わりとして決定するための手段であって、セル選択プロシージャがランダムアクセスプロシージャの後に実施される、決定するための手段を含む。
【００９６】
一実施形態では、本装置は、ＧＮＳＳタイミングと、ワイヤレス通信ネットワークの共通タイミングとのうちの少なくとも１つに従って、タイマーを調整するための手段をさらに含む。
【００９７】
一実施形態では、時間間隔を決定するための手段は、タイマーが終了する前に停止されたことに応答して、タイマーが停止される時点を時間間隔の始まりとして決定するための手段と、ＲＲＣ接続再設定が受信される時点を時間間隔の終わりとして決定するための手段とを含む。
【００９８】
一実施形態では、本装置は、ＧＮＳＳタイミングと、ワイヤレス通信ネットワークの共通タイミングと、ターゲットセルのタイミングとのうちの少なくとも１つに従って、タイマーを調整するための手段をさらに含む。
【００９９】
一実施形態では、タイマーはＴ３０４であり得る。
【０１００】
本開示の実施形態によれば、ワイヤレス通信ネットワークにおいて実装される装置が提供される。本装置がネットワークデバイスにおいて実装され得ることが諒解されるであろう。本装置は、端末デバイスが、端末デバイスのハンドオーバにおけるランダムアクセスプロシージャに関連するタイマーに基づいて、ハンドオーバの遷移期間における時間間隔を決定することを可能にするために、補助リソースに関する情報を端末デバイスに送信するための手段であって、補助リソースは、決定された時間間隔において端末デバイスにとって利用可能である、送信するための手段を含む。
【０１０１】
図９は、本開示の実施形態を実装する際に使用するのに好適であるデバイス９００の簡略ブロック図である。デバイス９００が、ＢＳ１１０、または端末デバイス、たとえば端末デバイス１２０など、ネットワークデバイスによって実装され得ることが諒解されるであろう。
【０１０２】
示されているように、デバイス９００は、データプロセッサ（ＤＰ）９１０と、ＤＰ９１０に結合されたメモリ（ＭＥＭ）９２０と、ＤＰ９１０に結合された好適なＲＦ送信機ＴＸおよび受信機ＲＸ９４０と、ＤＰ９１０に結合された通信インターフェース９５０とを含む。ＭＥＭ９２０はプログラム（ＰＲＯＧ）９３０を記憶する。ＴＸ／ＲＸ９４０は、双方向ワイヤレス通信のためのものである。ＴＸ／ＲＸ９４０は、通信を容易にするために少なくとも１つのアンテナを有するが、実際には、本出願において述べられたアクセスノードがいくつかのアンテナを有し得ることに留意されたい。通信インターフェース９５０は、ｅＮＢ間の双方向通信のためのＸ２インターフェース、モビリティ管理エンティティ（ＭＭＥ）／サービングゲートウェイ（Ｓ−ＧＷ）とｅＮＢとの間の通信のためのＳ１インターフェース、ｅＮＢとリレーノード（ＲＮ）との間の通信のためのＵｎインターフェース、またはｅＮＢと端末デバイスとの間の通信のためのＵｕインターフェースなど、他のネットワーク要素との通信のために必要である任意のインターフェースを表し得る。
【０１０３】
ＰＲＯＧ９３０は、関連するＤＰ９１０によって実行されたとき、デバイス９００が、図３中の方法３００または図４中の方法４００とともに本明細書で論じられたように、本開示の実施形態に従って動作することを可能にする、プログラム命令を含むと仮定される。本明細書の実施形態は、デバイス９００のＤＰ９１０によって実行可能なコンピュータソフトウェアによって、またはハードウェアによって、またはソフトウェアとハードウェアとの組合せによって実装され得る。データプロセッサ９１０とＭＥＭ９２０との組合せは、本開示の様々な実施形態を実装するように適応された処理手段９６０を形成し得る。
【０１０４】
ＭＥＭ９２０は、ローカル技術環境に適した任意のタイプのものであり得、非限定的な例として、半導体ベースメモリデバイス、磁気メモリデバイスおよびシステム、光メモリデバイスおよびシステム、固定メモリおよびリムーバブルメモリなど、任意の好適なデータ記憶技術を使用して実装され得る。１つのＭＥＭのみがデバイス９００中に示されているが、デバイス９００中には、いくつかの物理的に別個のメモリモジュールがあり得る。ＤＰ９１０は、ローカル技術環境に適した任意のタイプのものであり得、非限定的な例として、汎用コンピュータ、専用コンピュータ、マイクロプロセッサ、デジタル信号プロセッサ（ＤＳＰ）およびマルチコアプロセッサアーキテクチャに基づくプロセッサのうちの１つまたは複数を含み得る。デバイス９００は、メインプロセッサを同期させるクロックに時間的にスレーブされる、特定用途向け集積回路チップなど、複数のプロセッサを有し得る。
【０１０５】
概して、本開示の様々な実施形態は、ハードウェアまたは専用回路、ソフトウェア、論理あるいはそれらの任意の組合せで実装され得る。いくつかの態様は、ハードウェアで実装され得、他の態様は、コントローラ、マイクロプロセッサまたは他のコンピューティングデバイスによって実行され得るファームウェアまたはソフトウェアで実装され得る。本開示の実施形態の様々な態様は、ブロック図として、フローチャートとして、または何らかの他の図式表現を使用して、例示および説明されるが、本明細書で説明されるブロック、装置、システム、技法または方法は、非限定的な例として、ハードウェア、ソフトウェア、ファームウェア、専用回路または論理、汎用ハードウェアまたはコントローラまたは他のコンピューティングデバイス、あるいはそれらの何らかの組合せで実装され得ることが諒解されよう。
【０１０６】
例として、本開示の実施形態は、ターゲット現実または仮想プロセッサ上のデバイスにおいて実行される、プログラムモジュール中に含まれる命令など、機械実行可能命令の一般的なコンテキストにおいて説明され得る。概して、プログラムモジュールは、特定のタスクを実施するかまたは特定の抽象データタイプを実装する、ルーチン、プログラム、ライブラリ、オブジェクト、クラス、構成要素、データ構造などを含む。プログラムモジュールの機能性は、様々な実施形態において、必要に応じて、プログラムモジュール間で組み合わせられるかまたは分けられ得る。プログラムモジュールのための機械実行可能命令は、ローカルデバイスまたは分散デバイス内で実行され得る。分散デバイスでは、プログラムモジュールは、ローカル記憶媒体とリモート記憶媒体の両方にあり得る。
【０１０７】
本開示の方法を行うためのプログラムコードが、１つまたは複数のプログラミング言語の任意の組合せで書き込まれ得る。これらのプログラムコードは、プログラムコードが、プロセッサまたはコントローラによって実行されたとき、フローチャートおよび／またはブロック図において指定された機能／動作を実装させるように、汎用コンピュータ、専用コンピュータ、または他のプログラマブルデータ処理装置のプロセッサまたはコントローラに提供され得る。プログラムコードは、完全に機械上で、スタンドアロンソフトウェアパッケージとして、部分的に機械上で、部分的に機械上および部分的にリモート機械上で、あるいは完全にリモート機械またはサーバ上で実行し得る。
【０１０８】
本開示のコンテキストでは、機械可読媒体は、命令実行システム、命令実行装置、または命令実行デバイスによる使用のためのプログラム、またはそれに関するプログラムを含んでいるかまたは記憶し得る、任意の有形媒体であり得る。機械可読媒体は、機械可読信号媒体または機械可読記憶媒体であり得る。機械可読媒体は、限定はしないが、電子、磁気、光学、電磁、赤外線、または半導体の、システム、装置、またはデバイス、あるいは上記のものの任意の好適な組合せを含み得る。機械可読記憶媒体のより具体的な例は、１つまたは複数のワイヤを有する電気的接続、ポータブルコンピュータディスケット、ハードディスク、ランダムアクセスメモリ（ＲＡＭ）、読取り専用メモリ（ＲＯＭ）、消去可能プログラマブル読取り専用メモリ（ＥＰＲＯＭまたはフラッシュメモリ）、光ファイバー、ポータブルコンパクトディスク読取り専用メモリ（ＣＤ−ＲＯＭ）、光記憶デバイス、磁気ストレージデバイス、または上記のものの任意の好適な組合せを含むであろう。
【０１０９】
本開示のコンテキストでは、デバイスは、コンピュータシステムによって実行される、プログラムモジュールなど、コンピュータシステム実行可能命令の一般的なコンテキストにおいて実装され得る。概して、プログラムモジュールは、特定のタスクを実施するかまたは特定の抽象データタイプを実装する、ルーチン、プログラム、オブジェクト、構成要素、論理、データ構造などを含み得る。デバイスは、タスクが通信ネットワークを通してリンクされるリモート処理デバイスによって実施される、分散クラウドコンピューティング環境において実施され得る。分散クラウドコンピューティング環境では、プログラムモジュールは、メモリ記憶デバイスを含む、ローカルコンピュータシステム記憶媒体とリモートコンピュータシステム記憶媒体の両方にあり得る。
【０１１０】
さらに、動作は特定の順序で示されているが、これは、望ましい結果を達成するために、そのような動作が、示されている特定の順序または連続した順序で実施されること、あるいはすべての例示された動作が実施されることを必要とするものとして理解されるべきではない。いくつかの状況では、マルチタスキングおよび並列処理が有利であり得る。同様に、いくつかの特定の実装の詳細が上記の議論中に含まれているが、これらは、本開示の範囲に対する限定と解釈されるべきではなく、むしろ特定の実施形態に固有であり得る特徴の説明と解釈されるべきである。別個の実施形態のコンテキストにおいて説明されるいくつかの特徴は、単一の実施形態における組合せでも実装され得る。逆に、単一の実施形態のコンテキストにおいて説明される様々な特徴が、複数の実施形態において別々にも実装され、または任意の好適な部分組合せでも実装され得る。
【０１１１】
本開示は、構造的特徴および／または方法論的行為に固有の言語で説明されたが、添付の特許請求の範囲において規定されている本開示が、必ずしも上記で説明された特定の特徴または行為に限定されるとは限らないことを理解されたい。むしろ、上記で説明された特定の特徴および行為は、特許請求の範囲を実装することの例示的な形態として開示される。
【図１】
2019512986.tif 000003
【図２】
2019512986.tif 000004
【図３】
2019512986.tif 000005
【図４】
2019512986.tif 000006
【図５】
2019512986.tif 000007
【図６】
2019512986.tif 000008
【図７】
2019512986.tif 000009
【図８】
2019512986.tif 000010
【図９】
2019512986.tif 000011
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける端末デバイスにおいて少なくとも部分的に実装される方法であって、
ソースセルから補助リソースに関する情報を受信することと、
前記ソースセルからターゲットセルへのハンドオーバにおけるランダムアクセスプロシージャに関連するタイマーに基づいて、前記ハンドオーバの遷移期間における時間間隔を決定することを含み、
前記補助リソースが、前記決定された時間間隔において前記端末デバイスにとって利用可能である、方法。
【請求項２】
前記時間間隔を決定することは、
前記タイマーが開始される時点を前記時間間隔の始まりとして決定することと、
前記タイマーの状態に基づいて前記時間間隔の終わりを決定することと
を含む、請求項１に記載の方法。
【請求項３】
前記時間間隔の前記終わりを決定することは、
前記タイマーが終了する前に停止されたことに応答して、前記タイマーが停止される時点を前記時間間隔の前記終わりとして決定すること
を含む、請求項２に記載の方法。
【請求項４】
前記時間間隔の前記終わりを決定することは、
前記タイマーが終了する前に停止されたことに応答して、無線リソース制御（ＲＲＣ）接続再設定が受信される時点を前記時間間隔の前記終わりとして決定すること
を含む、請求項２に記載の方法。
【請求項５】
前記時間間隔の前記終わりを決定することは、
前記タイマーが終了したことに応答して、前記タイマーが終了する時点を前記時間間隔の前記終わりとして決定すること
を含む、請求項２に記載の方法。
【請求項６】
前記時間間隔の前記終わりを決定することは、
前記タイマーが終了したことに応答して、セル選択プロシージャに関連するさらなるタイマーが停止されるかまたは終了する時点を前記時間間隔の前記終わりとして決定することを含み、
前記セル選択プロシージャが前記ランダムアクセスプロシージャの後に実施される、請求項２に記載の方法。
【請求項７】
グローバルナビゲーション衛星システム（ＧＮＳＳ）タイミングと、
前記ワイヤレス通信ネットワークの共通タイミングと
のうちの少なくとも１つに従って、前記タイマーを調整すること
をさらに含む、請求項２から６のいずれか一項に記載の方法。
【請求項８】
前記時間間隔を決定することは、
前記タイマーが終了する前に停止されたことに応答して、前記タイマーが停止される時点を前記時間間隔の始まりとして決定することと、
無線リソース制御（ＲＲＣ）接続再設定が受信される時点を前記時間間隔の終わりとして決定することと
を含む、請求項１に記載の方法。
【請求項９】
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
をさらに含む、請求項８に記載の方法。
【請求項１０】
前記タイマーがＴ３０４である、請求項１に記載の方法。
【請求項１１】
ワイヤレス通信ネットワークにおけるネットワークデバイスにおいて少なくとも部分的に実装される方法であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信することを含み、
前記補助リソースが、前記決定された時間間隔において前記端末デバイスにとって利用可能である、方法。
【請求項１２】
ワイヤレス通信ネットワークにおける端末デバイスにおいて少なくとも部分的に実装される装置であって、
ソースセルから補助リソースに関する情報を受信するように設定された受信機と、
前記ソースセルからターゲットセルへのハンドオーバにおけるランダムアクセスプロシージャに関連するタイマーに基づいて、前記ハンドオーバの遷移期間における時間間隔を決定するように設定されたコントローラを備え、
前記補助リソースが、前記決定された時間間隔において前記端末デバイスにとって利用可能である、装置。
【請求項１３】
前記コントローラは、
前記タイマーが開始される時点を前記時間間隔の始まりとして決定することと、
前記タイマーの状態に基づいて前記時間間隔の終わりを決定することと
を行うようにさらに設定された、請求項１２に記載の装置。
【請求項１４】
前記コントローラは、
前記タイマーが終了する前に停止されたことに応答して、前記タイマーが停止される時点を前記時間間隔の前記終わりとして決定すること
を行うようにさらに設定された、請求項１３に記載の装置。
【請求項１５】
前記コントローラは、
前記タイマーが終了する前に停止されたことに応答して、無線リソース制御（ＲＲＣ）接続再設定が受信される時点を前記時間間隔の前記終わりとして決定すること
を行うようにさらに設定された、請求項１３に記載の装置。
【請求項１６】
前記コントローラは、
前記タイマーが終了したことに応答して、前記タイマーが終了する時点を前記時間間隔の前記終わりとして決定すること
を行うようにさらに設定された、請求項１３に記載の装置。
【請求項１７】
前記コントローラは、
前記タイマーが終了したことに応答して、セル選択プロシージャに関連するさらなるタイマーが停止されるかまたは終了する時点を前記時間間隔の前記終わりとして決定することを行うようにさらに設定されており、
前記セル選択プロシージャが前記ランダムアクセスプロシージャの後に実施される、請求項１３に記載の装置。
【請求項１８】
前記コントローラは、
グローバルナビゲーション衛星システム（ＧＮＳＳ）タイミングと、
前記ワイヤレス通信ネットワークの共通タイミングと
のうちの少なくとも１つに従って、前記タイマーを調整すること
を行うようにさらに設定された、請求項１３から１７のいずれか一項に記載の装置。
【請求項１９】
前記コントローラは、
前記タイマーが終了する前に停止されたことに応答して、前記タイマーが停止される時点を前記時間間隔の始まりとして決定することと、
無線リソース制御（ＲＲＣ）接続再設定が受信される時点を前記時間間隔の終わりとして決定することと
を行うようにさらに設定された、請求項１２に記載の装置。
【請求項２０】
前記コントローラは、
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
を行うようにさらに設定された、請求項１９に記載の装置。
【請求項２１】
前記タイマーがＴ３０４である、請求項１２に記載の装置。
【請求項２２】
ワイヤレス通信ネットワークにおけるネットワークデバイスにおいて少なくとも部分的に実装される装置であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信するように設定された送信機を備え、
前記補助リソースが、前記決定された時間間隔において前記端末デバイスにとって利用可能である、装置。
【請求項２３】
プロセッサとメモリとを備える、デバイスであって、
前記メモリが、前記プロセッサによって実行可能な命令を含むプログラムを含んでおり、前記プロセッサが、前記デバイスに、請求項１から１０のいずれか一項に記載の方法を実施させるように設定された、デバイス。
【請求項２４】
コンピュータ可読記憶媒体上に有形に記憶されたコンピュータプログラム製品であって、デバイスのプロセッサ上で実行されるとき、前記デバイスに、請求項１から１０のいずれか一項に記載の方法を実施させる命令を含む、コンピュータプログラム製品。
【請求項２５】
プロセッサとメモリとを備える、デバイスであって、
前記メモリが、前記プロセッサによって実行可能な命令を含むプログラムを含んでおり、前記プロセッサが、前記デバイスに、請求項１１に記載の方法を実施させるように設定された、デバイス。
【請求項２６】
コンピュータ可読記憶媒体上に有形に記憶されたコンピュータプログラム製品であって、デバイスのプロセッサ上で実行されるとき、前記デバイスに、請求項１１に記載の前記方法を実施させる命令を含む、コンピュータプログラム製品。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける端末デバイスにおいて少なくとも部分的に実装される方法であって、
ソースセルから補助リソースに関する情報を受信することと、
前記ソースセルからターゲットセルへのハンドオーバにおけるランダムアクセスプロシージャに関連するタイマーに基づいて、前記ハンドオーバの遷移期間における時間間隔を決定することを含み、
前記補助リソースが、前記決定された時間間隔において前記端末デバイスにとって利用可能である、方法。
【請求項２】
前記時間間隔を決定することは、
前記タイマーが開始される時点を前記時間間隔の始まりとして決定すること、および、前記タイマーの状態に基づいて前記時間間隔の終わりを決定すること、または
前記タイマーが終了する前に停止されたことに応答して、前記タイマーが停止される時点を前記時間間隔の始まりとして決定すること、および、無線リソース制御（ＲＲＣ）接続再設定が受信される時点を前記時間間隔の終わりとして決定すること
を含む、請求項１に記載の方法。
【請求項３】
前記時間間隔の前記終わりを決定することは、
前記タイマーが終了する前に停止されたことに応答して、前記タイマーが停止される時点を前記時間間隔の前記終わりとして決定すること、または
前記タイマーが終了する前に停止されたことに応答して、無線リソース制御（ＲＲＣ）接続再設定が受信される時点を前記時間間隔の前記終わりとして決定すること、または
前記タイマーが終了したことに応答して、前記タイマーが終了する時点を前記時間間隔の前記終わりとして決定すること、または
前記タイマーが終了したことに応答して、セル選択プロシージャに関連するさらなるタイマーが停止されるかまたは終了する時点を前記時間間隔の前記終わりとして決定することであって、前記セル選択プロシージャが前記ランダムアクセスプロシージャの後に実施される、決定すること
を含む、請求項２に記載の方法。
【請求項４】
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
をさらに含む、請求項１から３のいずれか一項に記載の方法。
【請求項５】
前記タイマーがＴ３０４である、請求項１から４のいずれか一項に記載の方法。
【請求項６】
ワイヤレス通信ネットワークにおけるネットワークデバイスにおいて少なくとも部分的に実装される方法であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信することを含み、
前記補助リソースが、前記決定された時間間隔において前記端末デバイスにとって利用可能である、方法。
【請求項７】
ワイヤレス通信ネットワークにおける端末デバイスにおいて少なくとも部分的に実装される装置であって、
ソースセルから補助リソースに関する情報を受信するように設定された受信機と、
前記ソースセルからターゲットセルへのハンドオーバにおけるランダムアクセスプロシージャに関連するタイマーに基づいて、前記ハンドオーバの遷移期間における時間間隔を決定するように設定されたコントローラとを備え、
前記補助リソースが、前記決定された時間間隔において前記端末デバイスにとって利用可能である、装置。
【請求項８】
プロセッサとメモリとを備える、デバイスであって、
前記メモリが、前記プロセッサによって実行可能な命令を含むプログラムを含んでおり、
前記プロセッサが、前記デバイスに、
ソースセルから補助リソースに関する情報を受信することと、
前記ソースセルからターゲットセルへのハンドオーバにおけるランダムアクセスプロシージャに関連するタイマーに基づいて、前記ハンドオーバの遷移期間における時間間隔を決定することを行わせるように設定され、
前記補助リソースが、前記決定された時間間隔において前記端末デバイスにとって利用可能である、デバイス。
【請求項９】
前記プロセッサが、前記デバイスに、請求項２から５のいずれか一項に記載の方法を実施させるように設定された、請求項８に記載のデバイス。
【請求項１０】
プロセッサとメモリとを備える、デバイスであって、
前記メモリが、前記プロセッサによって実行可能な命令を含むプログラムを含んでおり、
前記プロセッサが、前記デバイスに、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信することを行わせるように設定され、
前記補助リソースが、前記決定された時間間隔において前記端末デバイスにとって利用可能である、デバイス。
【手続補正２】
【補正対象書類名】明細書
【補正対象項目名】０１１１
【補正方法】変更
【補正の内容】
【０１１１】
本開示は、構造的特徴および／または方法論的行為に固有の言語で説明されたが、添付の特許請求の範囲において規定されている本開示が、必ずしも上記で説明された特定の特徴または行為に限定されるとは限らないことを理解されたい。むしろ、上記で説明された特定の特徴および行為は、特許請求の範囲を実装することの例示的な形態として開示される。
本発明は以下に記載する態様を含む。
（態様１）
ワイヤレス通信ネットワークにおける端末デバイスにおいて少なくとも部分的に実装される方法であって、
ソースセルから補助リソースに関する情報を受信することと、
前記ソースセルからターゲットセルへのハンドオーバにおけるランダムアクセスプロシージャに関連するタイマーに基づいて、前記ハンドオーバの遷移期間における時間間隔を決定することを含み、
前記補助リソースが、前記決定された時間間隔において前記端末デバイスにとって利用可能である、方法。
（態様２）
前記時間間隔を決定することは、
前記タイマーが開始される時点を前記時間間隔の始まりとして決定することと、
前記タイマーの状態に基づいて前記時間間隔の終わりを決定することと
を含む、態様１に記載の方法。
（態様３）
前記時間間隔の前記終わりを決定することは、
前記タイマーが終了する前に停止されたことに応答して、前記タイマーが停止される時点を前記時間間隔の前記終わりとして決定すること
を含む、態様２に記載の方法。
（態様４）
前記時間間隔の前記終わりを決定することは、
前記タイマーが終了する前に停止されたことに応答して、無線リソース制御（ＲＲＣ）接続再設定が受信される時点を前記時間間隔の前記終わりとして決定すること
を含む、態様２に記載の方法。
（態様５）
前記時間間隔の前記終わりを決定することは、
前記タイマーが終了したことに応答して、前記タイマーが終了する時点を前記時間間隔の前記終わりとして決定すること
を含む、態様２に記載の方法。
（態様６）
前記時間間隔の前記終わりを決定することは、
前記タイマーが終了したことに応答して、セル選択プロシージャに関連するさらなるタイマーが停止されるかまたは終了する時点を前記時間間隔の前記終わりとして決定することを含み、
前記セル選択プロシージャが前記ランダムアクセスプロシージャの後に実施される、態様２に記載の方法。
（態様７）
グローバルナビゲーション衛星システム（ＧＮＳＳ）タイミングと、
前記ワイヤレス通信ネットワークの共通タイミングと
のうちの少なくとも１つに従って、前記タイマーを調整すること
をさらに含む、態様２から６のいずれか一つに記載の方法。
（態様８）
前記時間間隔を決定することは、
前記タイマーが終了する前に停止されたことに応答して、前記タイマーが停止される時点を前記時間間隔の始まりとして決定することと、
無線リソース制御（ＲＲＣ）接続再設定が受信される時点を前記時間間隔の終わりとして決定することと
を含む、態様１に記載の方法。
（態様９）
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
をさらに含む、態様８に記載の方法。
（態様１０）
前記タイマーがＴ３０４である、態様１に記載の方法。
（態様１１）
ワイヤレス通信ネットワークにおけるネットワークデバイスにおいて少なくとも部分的に実装される方法であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信することを含み、
前記補助リソースが、前記決定された時間間隔において前記端末デバイスにとって利用可能である、方法。
（態様１２）
ワイヤレス通信ネットワークにおける端末デバイスにおいて少なくとも部分的に実装される装置であって、
ソースセルから補助リソースに関する情報を受信するように設定された受信機と、
前記ソースセルからターゲットセルへのハンドオーバにおけるランダムアクセスプロシージャに関連するタイマーに基づいて、前記ハンドオーバの遷移期間における時間間隔を決定するように設定されたコントローラを備え、
前記補助リソースが、前記決定された時間間隔において前記端末デバイスにとって利用可能である、装置。
（態様１３）
前記コントローラは、
前記タイマーが開始される時点を前記時間間隔の始まりとして決定することと、
前記タイマーの状態に基づいて前記時間間隔の終わりを決定することと
を行うようにさらに設定された、態様１２に記載の装置。
（態様１４）
前記コントローラは、
前記タイマーが終了する前に停止されたことに応答して、前記タイマーが停止される時点を前記時間間隔の前記終わりとして決定すること
を行うようにさらに設定された、態様１３に記載の装置。
（態様１５）
前記コントローラは、
前記タイマーが終了する前に停止されたことに応答して、無線リソース制御（ＲＲＣ）接続再設定が受信される時点を前記時間間隔の前記終わりとして決定すること
を行うようにさらに設定された、態様１３に記載の装置。
（態様１６）
前記コントローラは、
前記タイマーが終了したことに応答して、前記タイマーが終了する時点を前記時間間隔の前記終わりとして決定すること
を行うようにさらに設定された、態様１３に記載の装置。
（態様１７）
前記コントローラは、
前記タイマーが終了したことに応答して、セル選択プロシージャに関連するさらなるタイマーが停止されるかまたは終了する時点を前記時間間隔の前記終わりとして決定することを行うようにさらに設定されており、
前記セル選択プロシージャが前記ランダムアクセスプロシージャの後に実施される、態様１３に記載の装置。
（態様１８）
前記コントローラは、
グローバルナビゲーション衛星システム（ＧＮＳＳ）タイミングと、
前記ワイヤレス通信ネットワークの共通タイミングと
のうちの少なくとも１つに従って、前記タイマーを調整すること
を行うようにさらに設定された、態様１３から１７のいずれか一つに記載の装置。
（態様１９）
前記コントローラは、
前記タイマーが終了する前に停止されたことに応答して、前記タイマーが停止される時点を前記時間間隔の始まりとして決定することと、
無線リソース制御（ＲＲＣ）接続再設定が受信される時点を前記時間間隔の終わりとして決定することと
を行うようにさらに設定された、態様１２に記載の装置。
（態様２０）
前記コントローラは、
グローバルナビゲーション衛星システム（ＧＮＳＳ）タイミングと、
前記ワイヤレス通信ネットワークの共通タイミングと、
前記ターゲットセルのタイミングと
のうちの少なくとも１つに従って、前記タイマーを調整すること
を行うようにさらに設定された、態様１９に記載の装置。
（態様２１）
前記タイマーがＴ３０４である、態様１２に記載の装置。
（態様２２）
ワイヤレス通信ネットワークにおけるネットワークデバイスにおいて少なくとも部分的に実装される装置であって、
端末デバイスが、前記端末デバイスのハンドオーバにおけるランダムアクセスプロシージャに関連するタイマーに基づいて、前記ハンドオーバの遷移期間における時間間隔を決定することを可能にするために、補助リソースに関する情報を前記端末デバイスに送信するように設定された送信機を備え、
前記補助リソースが、前記決定された時間間隔において前記端末デバイスにとって利用可能である、装置。
（態様２３）
プロセッサとメモリとを備える、デバイスであって、
前記メモリが、前記プロセッサによって実行可能な命令を含むプログラムを含んでおり、前記プロセッサが、前記デバイスに、態様１から１０のいずれか一つに記載の方法を実施させるように設定された、デバイス。
（態様２４）
コンピュータ可読記憶媒体上に有形に記憶されたコンピュータプログラム製品であって、デバイスのプロセッサ上で実行されるとき、前記デバイスに、態様１から１０のいずれか一つに記載の方法を実施させる命令を含む、コンピュータプログラム製品。
（態様２５）
プロセッサとメモリとを備える、デバイスであって、
前記メモリが、前記プロセッサによって実行可能な命令を含むプログラムを含んでおり、前記プロセッサが、前記デバイスに、態様１１に記載の方法を実施させるように設定された、デバイス。
（態様２６）
コンピュータ可読記憶媒体上に有形に記憶されたコンピュータプログラム製品であって、デバイスのプロセッサ上で実行されるとき、前記デバイスに、態様１１に記載の前記方法を実施させる命令を含む、コンピュータプログラム製品。
【国際調査報告】
2019512986.tif 000012
2019512986.tif 000013